(57)【要約】【課題】着信時におけるこちらの状況に合わせてより適切な内容の応答メッセージを相手方に送ることができることにより、その機能を向上させることができる電話装置を提供する。【解決手段】複数の操作キー１３ｂと、前記複数の操作キーのうち特定の操作キーやその組合せに対応して割り当てられた複数の応答メッセージを予め記憶するメモリ部１２，１２ｂと、着信があったとき、前記操作キーの操作によって対応する前記応答メッセージを前記メモリ部から呼出し、呼出した応答メッセージを相手側に出力するように制御する制御部２０とを有するようにした。【効果】着信時におけるこちらの状況に合わせてより適切な内容の応答メッセージを送ることができるので、相手方に不愉快な思い等をさせることがなく、電話装置の機能を向上させることができる。【選択図】      図１
2004235824.tif 000002
【特許請求の範囲】
【請求項１】
電話装置を操作するための複数の操作キーと、
前記複数の操作キーのうち特定の操作キーやその組合せに対応して割り当てられた複数の応答メッセージを予め記憶するメモリ部と、
着信があったとき、前記操作キーの操作によって対応する前記応答メッセージを前記メモリ部から呼出し、呼出した応答メッセージを相手側に出力するように制御する制御部と
を有することを特徴とする電話装置。
【請求項２】
前記複数の応答メッセージと前記複数の操作キーとの割当てが前記メモリ部に備える応答／録音テーブルによって対応づけられていることを特徴とする請求項１に記載の電話装置。
【請求項３】
前記制御部は、前記応答メッセージを相手方に出力した後、回線を自動的に切断することを特徴とする請求項１又は請求項２に記載の電話装置。
【発明の詳細な説明】
【０００１】
【発明の属する技術分野】
本発明は、家庭や職場等の設置型電話機や携帯電話機等のような、その通話機能を利用して対話することができる電話装置に関するものである。
【０００２】
【従来の技術】
【特許文献１】特開２００１−１０３１４７号公報
【０００３】
従来の電話装置においては、前記特許文献１に記載されているように、相手方の電話番号を登録し、その相手方の電話番号ごとに応答メッセージを登録し、相手方から着信があったときはその発信元の電話番号に対応して登録してある応答メッセージで相手方に応答するようになっていた。
【０００４】
【発明が解決しようとする課題】
しかしながら、このような従来の電話装置にあっては、同じ相手方にはいつも同じ応答メッセージでしか応答することができない。このため、着信時におけるこちらの状況はその都度異なるにもかかわらず、その状況に合わせてより適切な内容の応答メッセージを相手方に送ることができない。そのため、相手方に不愉快な思いをさせる等のおそれがあり、この意味で電話装置の機能を向上させることができないという問題があった。
【０００５】
そこで本発明は、上記問題点に鑑みて、着信時におけるこちらの状況に合わせてより適切な内容の応答メッセージを相手方に送ることができるようにすることにより、その機能を向上させることができる電話装置を提供することを課題とするものである。
【０００６】
【課題を解決するための手段】
上記課題を解決するために、本発明による電話装置は、
電話装置を操作するための複数の操作キーと、
前記複数の操作キーのうち特定の操作キーやその組合せに対応して割り当てられた複数の応答メッセージを予め記憶するメモリ部と、
着信があったとき、前記操作キーの操作によって対応する前記応答メッセージを前記メモリ部から呼出し、呼出した応答メッセージを相手側に出力するように制御する制御部とを有することを特徴とするものである。
【０００７】
このような電話装置によれば、相手方から着信があったときのこちらの状況に合わせて応答メッセージのいずれか又はその組合せを、特定の操作キーや特定の操作キーの組合せを操作することにより選択して、この選択した応答メッセージを用いて相手方に応答するようにしたことにより、着信時におけるこちらの状況に合わせてより適切な内容の応答メッセージを相手方に送ることができるので、相手方に対し、電話に出られない事情を説明することができ、不愉快な思いなどをさせることがない。
【０００８】
【発明の実施の形態】
以下、本発明の実施の形態について、図面に基づいて具体的に説明する。
図１ないし図４は、本発明の一実施の形態に係る電話装置について説明するために参照する図である。
【０００９】
図１は、電話装置の回路構成を示す図である。同図に示すように、制御部２０には、ユーザー領域メモリ１２、表示部１３ａ、操作部１３ｂ、システム用メモリ１４、通信部１５及び電源１６が接続されている。
【００１０】
スピーカ１０はデジタル値をアナログ値に変換するＤＡＣ部１０ａを介して、マイク１１はアナログ値をデジタル値に変換するＡＤＣ部１１ａを介して、それぞれ制御部２０と接続されている。通信部１５には、アンテナ又はケーブル（通信線）が設けられていて、外部の無線基地又は公衆回線と通信可能となっている。
【００１１】
ユーザー領域メモリ１２は、複数の応答メッセージを登録する第１エリア１２ｂ、応答／録音設定テーブルを登録する第２エリア１２ｃ、及び相手方からのメッセージを保存するメッセージボックスとしての、第３エリア１２ｄを有している。
【００１２】
このような電話装置の動作について、以下に説明する。
まず、ユーザー領域メモリ１２の第１エリア１２ｂに、図２に示すような、着信時に相手方への応答に用いる、複数の応答メッセージを登録する。
【００１３】
この第１エリア１２ｂに登録する応答メッセージには、電話装置の製造時に登録して用意したもの、電話装置のユーザーが購入後にマイク１１から録音して登録したもの、外部からアンテナやケーブルを介してダウンロードしたもの、或は操作部１３ｂの操作キーを操作することにより文字入力による音声合成により登録したもの等がある。
【００１４】
ユーザー領域メモリ１２の第２エリア１２ｃには、図３の表に示すように、操作部１３ｂのキー番号と第１エリア１２ｂに登録した応答メッセージとの対応が可能なようにテーブルとして設定登録する。
【００１５】
相手方から着信があったときに、作業中等により直ちに電話に応答できない場合は、応答メッセージと対応付けされていない操作キーの操作によって、ユーザー領域メモリ１２の第２エリア１２ｃに設定登録した、図３に示すようなテーブルを呼出して、図４に示すように表示部１３ａに第２エリア１２ｃの内容を表示させる。
【００１６】
そして、表示部１３ａに表示されている応答メッセージの中から、こちらの状況に合ったメッセージを１つ又は複数選択して、それに対応する１つ又は複数のキー番号の操作キーを操作することにより、その選択したメッセージやその組合せを再生させて相手方の応答に用いる。そして、この後回線を切断することにより、相手方に通信料が課金され続けて迷惑がかかるのを防止することができる。
【００１７】
また、上記のように応答メッセージにより応答を終了した後、回線を切断してから全ての作業を終了させてもよいが、応答終了後に、メッセージボックスとして用いるユーザー領域メモリ１２の第３エリア１２ｄに、後の着信時に相手方からのメッセージを格納可能なように設定を行うこともできる。
【００１８】
このため、その後の着信時に、こちらの応答メッセージを再生して相手方へ応答した後で、相手方からのメッセージをユーザー領域メモリ１２の第３エリア１２ｄに保存することができる。このことにより、留守電機能と同等の動作を行うことができ、こちらの手が空いたときに相手方からのメッセージを聞いておけば、その後相手方に発呼したときに効率良く会話に入ることが可能となる。
【００１９】
なお、上記実施の形態においては、応答メッセージとして、「ただいま会議中です」、「ただいま移動中です」等を具体例として上げて説明したが、こちらが電話に出られない場合としてはこれらに限定されないことはいうまでもなく、これ以外のどのような場合にも本発明は適用することができ、それにあったメッセージを作って用いることができる。
【００２０】
以上、本発明の実施の形態について具体的に述べて来たが、本発明は上記の実施の形態に限定されるものではなく、本発明の技術的思想に基づいて、その他にも各種の変更が可能なものである。
【００２１】
【発明の効果】
以上に説明したように、本発明の電話装置によれば、相手方から着信があったときのこちらの状況に合わせて応答メッセージのいずれか又はその組合せを、特定の操作キーやその組合せを操作することにより選択して、この選択した応答メッセージやその組合せを相手方に出力するようにしたことにより、着信時におけるこちらの状況に合わせてより適切な内容の応答メッセージを送ることができるので、相手方に不愉快な思い等をさせることがなく、電話装置の機能を向上させることができる。
【図面の簡単な説明】
【図１】本発明の一実施の形態に係る電話装置の回路構成を示すブロック図である。
【図２】図１におけるユーザー領域メモリ１２の第１エリア１２ｂに登録する応答メッセージの具体例を示す図である。
【図３】図１におけるユーザー領域メモリ１２の第２エリア１２ｃに登録する、応答メッセージに対して割り当てられたキー番号との関係を示すテーブルを示す図である。
【図４】図１におけるユーザー領域メモリ１２の第２エリア１２ｃに設定登録されたテーブルを表示部１３ａに表示した状態の一例を示す図である。
【符号の説明】
２０  制御部
１０  スピーカ
１０ａ  ＤＡＣ部
１１  マイク
１１ａ  ＡＤＣ部
１２  ユーザー領域メモリ
１２ｂ  第１エリア
１２ｃ  第２エリア
１２ｄ  第３エリア
１３ａ  表示部
１３ｂ  操作部
１４  システム用メモリ
１５  通信部
１６  電源
【図１】
2004235824.tif 000003
【図２】
2004235824.tif 000004
【図３】
2004235824.tif 000005
【図４】
2004235824.tif 000006